(57)【特許請求の範囲】
【請求項１】
薬品パッケージにおいて、該薬品パッケージの内面にアンテナパターンが直接設けられ、前記アンテナパターン上にＩＣチップが装着され、前記ＩＣチップの端子と前記アンテナパターンとが接続され、前記ＩＣチップに前記薬品パッケージの内容物薬品に関する情報が書き込まれていることを特徴とする非接触データキャリア付き薬品パッケージ。
【請求項２】
前記薬品パッケージの内部に薬品説明文書が挿入され、前記薬品説明文書にアンテナパターンが直接設けられ、前記アンテナパターン上にＩＣチップが装着され、前記ＩＣチップの端子と前記アンテナパターンとが接続され、前記ＩＣチップに内容物薬品に関する情報が書き込まれていることを特徴とする請求項１記載の非接触データキャリア付き薬品パッケージ。
【発明の詳細な説明】
【０００１】
【発明の属する技術分野】
この発明は、非接触データキャリア付き薬品パッケージに関する。詳しくは、薬品のパッケージやパッケージ内に挿入される薬品説明文書に非接触データキャリアを付して情報量を大きくすることと、当該情報を適正に利用する方法に関する。
【０００２】
【従来技術】
薬品について使用者が求める情報内容の高度化に伴い、従来からのパッケージ上での表示では、製品に付随する情報量に対し記載できる情報量に限界が生じてきている。特に薬品は小型のパッケージが多いため、記載量が極端に制限され、印刷される文字級数が小さく、高齢者のみならず、一般の消費者にも大変読み難いものとなっている。
また、薬品は製品を開封後、使用中にパッケージや説明文書を廃棄したり紛失したりするのが通常であるが、その場合、その後に内容を参照できなくなるという問題がある。すなわち、物と情報が分離しやすく薬品を誤用する問題が生じる。さらに、パッケージや説明文書の情報は、印刷された文字情報として利用することしかできず、情報機器で２次加工して利用できない問題がある。
【０００３】
【発明が解決しようとする課題】
そこで、本発明では、製品の薬品自体やパッケージあるいは添付する薬品説明文書に「非接触データキャリア」（一般に、「非接触ＩＣタグ」、「無線ＩＣタグ」、「非接触ＩＣ」、「非接触ＩＣラベル」等と表現される場合もある。）を実装し、非接触データキャリアのＩＣチップメモリに薬品に関する情報を電子的に記録することにより、上述のような問題を解決しようとするものである。
【０００４】
【課題を解決するための手段】
上記課題を解決するための本発明の要旨の第１は、薬品パッケージにおいて、該薬品パッケージの内面にアンテナパターンが直接設けられ、前記アンテナパターン上にＩＣチップが装着され、前記ＩＣチップの端子と前記アンテナパターンとが接続され、前記ＩＣチップに前記薬品パッケージの内容物薬品に関する情報が書き込まれていることを特徴とするものである。
【０００５】
上記課題を解決するための本発明の要旨の第２は、前記薬品パッケージの内部に薬品説明文書が挿入され、前記薬品説明文書にアンテナパターンが直接設けられ、前記アンテナパターン上にＩＣチップが装着され、前記ＩＣチップの端子と前記アンテナパターンとが接続され、前記ＩＣチップに内容物薬品に関する情報が書き込まれていることを特徴とするものである。
【００１３】
【発明の実施の形態】
以下、本発明の非接触データキャリア付き薬品パッケージと薬品説明文書および薬品情報の利用方法について順次説明する。
＜非接触データキャリア付き薬品パッケージ＞
本発明の非接触データキャリア付き薬品パッケージには、各種の実施形態がある。その第１の実施形態は、専用の非接触データキャリアをタック加工してラベル化したものをパッケージに貼着したものであり、第２の実施形態は、アンテナをパッケージに直接印刷した後、当該アンテナ端子にタック加工されたＩＣチップラベルを貼着したものであり、第３の実施形態は、コイルとＩＣチップが一体に集積化されたコイルオンチップをタック加工したラベルをパッケージに貼着したものであり、第４の実施形態は、コイルとＩＣチップが一体に集積化されたコイルオンチップをインモールド成形してパッケージに実装した形態に係るものである。
【００１４】
図１は、薬品パッケージの第１の実施形態を示す図であり、図２は非接触データキャリアの汎用的な形態を示す図である。
図１のように、第１の実施形態では、タック加工されラベル化した非接触データキャリア１１が薬品パッケージ２１に貼着されている。薬品パッケージは紙製のアウターカートンであってもガラスびんやプラスチックボトル、プラスチック函体等の成形品、あるいは金属缶体であっても何でもよい。通常のように薬品の成分、用法等が合わせて印刷等されていることも好ましい。
非接触データキャリア１１のＩＣメモリには、内容物薬品に関する情報が書き込まれている。
【００１５】
図２のように、非接触データキャリア１１は、プラスチック等の基材１１０にアンテナパターン１１２を形成し、当該アンテナコイルと容量素子とにより共振回路を形成することにより一定周波数の呼出し電波を受信して非接触データキャリアの情報を発信源に応答して返すことができる。
図示例の場合、アンテナパターン１１２は導通部材１１４により基材１１０の裏面でジャンピング回路を形成してコイル接続端子１１２ＣによりＩＣチップ１１１の裏面のバンプに接続している。容量素子はＩＣチップ１１１に内蔵されている。このような非接触データキャリア１１はプラスチック基材１１０にラミネートしたアルミ箔等の金属箔をフォトエッチングやレジスト印刷後のエッチングによりアンテナパターン１１２を形成し、ＩＣチップ１１１を装着し、保護用の被覆を設けることにより形成できる。その大きさも２０ｍｍ×２０ｍｍ程度以下のサイズとすることができる。
非接触データキャリア１１のいずれかの面に粘着剤を塗工してタック加工しラベル化すれば薬品パッケージ２１に自由に貼着できる。
【００１６】
非接触データキャリア１１に使用する基材１１０としては、ＰＥＴやポリプロピレン、ポリエチレン、ポリスチレン、ナイロン等の各種材料を使用でき、場合によっては紙であってもよい。厚みは１５〜３００μｍが使用できるが、強度、加工作業性、コスト等の点から２０〜１００μｍがより好ましい。
ラミネートする金属箔としては銅箔やアルミ箔あるいは鉄箔を使用できるが、コスト、加工性からアルミ箔が好ましく、その厚みは６〜５０μｍ程度が好ましい。
【００１７】
図３は、薬品パッケージの第２の実施形態を示す図である。上記、図２図示の非接触データキャリアも汎用的な形態であるが、薬品パッケージに使用する非接触データキャリアはより簡易な形態のものであってもよい。
例えば、図３図示のように、導電性のインキで、パッケージ２２に直接、アンテナパターン（アンテナ部）１１２を印刷し、アンテナ部上にＩＣチップ１１１を装着したものであっても十分に実用に供することができる。
このよう非接触データキャリア１１は、パッケージ基材２１０にアンテナパターン１１２をシルクスクリーン、オフセット、グラビア印刷等により直接印刷し、アンテナ部１１２にタック加工されたＩＣチップラベルを実装して製造することができる。
【００１８】
導電性のインキには、カーボン顔料や黒鉛、銀粉、アルミ粉末等あるいはそれらの混合体を使用したオフセットインキやグラビアインキあるいはシルクスクリーン印刷用インキを使用できる。
アンテナの形状は特に限定されず直線状のものでも捲線状のものでもよく、図示のように２枚の羽状のものであってもよい。この羽状のパターンの接近した位置に裏面にバンプを有し、タック加工されたＩＣチップラベル状のＩＣチップ１１１を装着することで非接触データキャリアの機能を果たす。アンテナパターンを印刷する面はパッケージの表面であっても裏面（カートンの内面）であってもいずれでもよい。
【００１９】
ここで、ＩＣチップラベルについて説明しておくこととする。
図７は、ＩＣチップラベルを一部剥離した状態を示す図である。
モトローラ社製「Ｂｉｓｔａｔｉｘ」（商標）の「インターポーザー」ようにタック加工されたＩＣチップラベルは、図７のように、カートン等に印刷により形成されたアンテナパターン１１２に対してＩＣチップラベル１１Ｌを貼着するが、ＩＣチップラベル１１Ｌには小サイズのアンテナパターン１１２Ｌが同様に導電性インキで印刷されていて、アンテナパターン１１２Ｌが接近する位置にＩＣチップ１１１が装着されている。
アンテナパターン１１２とアンテナパターン１１２Ｌとはパターンに直交する方向にのみ導通する異方導電性接着剤により導通が得られることになる。当該異方導電性接着剤はあらかじめＩＣチップラベルのアンテナパターン１１２Ｌ面に塗工されていてタックラベル化している。
第２の実施形態では、このようなＩＣチップラベルをアンテナパターンに貼着するものである。
【００２０】
図４は、薬品パッケージの第３の実施形態を示す図であり、図５はコイルオンチップ型の非接触データキャリアを示す図である。第３と第４の実施形態はこのコイルオンチップ型の非接触データキャリアを使用する実施形態である。
図４のように、第３の実施形態では、コイルオンチップをタック加工してラベル化した非接触デーキャリア１１が薬品パッケージ２３に貼着されている。
コイルオンチップでは、交信距離が３ｍｍ程度に短縮化されるが接触的にリードライトするには十分な機能を有し、サイズも小さく非接触デーキャリア１１の大きさを縮小できる利点がある。
【００２１】
図５のように、コイルオンチップ１２は、２〜５ｍｍ角程度のサイズ（厚み；０．２〜０．５ｍｍ程度）のシリコン基板１２０にアンテナコイル１２２を形成し、同一基板に形成されたメモリー付き集積回路部１２１に、アンテナコイル１２２の両端部が導通している。このコイルオンチップ１２が微小な函体に納められている。これにより共振回路を形成して一定の周波数の電波に共振して非接触交信することができる。
このようなコイルオンチップ１２の裏面に直接粘着剤を塗工するか、コイルオンチップ１２をプラスチック基材間にラミネートした後、粘着剤を塗工してラベル化することにより、非接触データキャリアとして使用できる。
薬品パッケージ２３は金属缶体であっても良く、非接触データキャリアと金属体との間に一定の厚み（０．１〜１．０ｍｍ程度）の誘電体層を設ければ通信の障害となることもない。
【００２２】
図６は、薬品パッケージの第４の実施形態を示す図である。第４の実施形態もこのコイルオンチップ型の非接触データキャリア１１を使用する形態であるが、コイルオンチップ１２をインモールド成形して薬品パッケージ２４と一体にした点が第３の実施形態と相違する。
この場合は、コイルオンチップ型非接触データキャリア１１を金型内に装填して樹脂を射出するインジェクション成形が一般に採用されるが、真空圧空成形、ブロー成形等の成形法であってもよい。
【００２３】
ＩＣメモリの場合は、１０２４Ｂｉｔｓで、１２８文字の記録ができ通常の薬品パッケージとして最低限の情報記録には適用できる。数キロビットであれば、２次元バーコード以上の表示が可能であり、通常の薬品情報の書き込みが可能である。しかも、出荷後に書き込み消去が自由にできる利点がある。流通段階で価格表示を変えてレジで清算する場合や、入庫日時の記録をする場合、服用記録や病院で使用記録をする場合等は、書き込みや消去ができる非接触データキャリアが好ましいことになる。
【００２４】
＜非接触データキャリア付き薬品説明文書＞
薬品説明文書は一般に紙やプラスチックシートに印刷して薬品パッケージ内に添付して使用する。説明文書は折り畳んで挿入できるのでパッケージ自体への記載よりは一般に豊富な情報を盛り込むことができる。しかし、通常の薬品説明文書は小さい文字で印刷されており読み難いことは誰でも認めることである。
非接触データキャリア１１は、可視的に印刷した通常一般の薬品説明文書の一部に貼着する形態となる。メモリ容量を大きくすれば一般の説明文書よりも膨大な情報を記録することも可能となる。
非接触データキャリアは情報量を大きくできるので、薬品パッケージに非接触データキャリアを添付すれば十分であるが、パッケージと薬品説明文書の双方に非接触データキャリアを添付するのが、いずれかを紛失しても有効に利用できる点で好ましい。
薬品説明文書への非接触データキャリアの実装方法は、薬品パッケージと同様の方法を採用できるが、インモールド成形することは行わなれない。したがって、前記薬品パッケージの場合の第４の実施形態以外の第１〜第３の実施形態を同様に採用することができる。
【００２５】
＜非接触データキャリアリーダについて＞
非接触データキャリアリーダはスキャナともいわれ一定周波数の電波を非接触データキャリアに送信して応答波を検索する。特定の薬品の非接触データキャリアと１対１で読み取る場合は検索機能は必要ないが、多数の薬品の中から特定の薬品を探す場合は検索機能が必要となる。
リーダライターとの交信には、一般的には１２５ｋＨｚ、１３．５６ＭＨｚ、２．４５ＧＨｚ、５．８ＧＨｚ（マイクロ波）の周波数帯を使用することになる。アンテナは採用するデータキャリア方式により、「電磁誘導方式」、「電磁結合方式」、「静電結合方式」等を選択しあるいは複合して使用することができる。
【００２６】
リーダには、ハンディーリーダ・ライタタイプの各種が市販されており、一例として田村電機製作所製の「ＲＴ１００」では、上位パーソナルコンピュータ（ＰＣ）と接続して自由なシステムを構築することができる。
その他、ＩＣカード用リーダ／ライタにも各種の機種があり、これを利用することもできる。また、日立マクセル株式会社製のパーソナルリーダライタではコイルオンチップの非接触読み取りが可能である。
【００２７】
＜具体的な入出力情報＞
以下、薬品パッケージ、薬品説明文書の情報内容について説明する。
医薬品は、薬事法の規定により、その直接の容器又は直接の被包に、次の各号に掲げる事項が記載されていなければならない、とされている。
１．製造業者又は輸入販売業者の氏名又は名称及び住所、２．名称（日本薬局方において定められた名称）、３．製造番号又は製造記号、４．重量、容量又は個数等の内容量、のほか、特定医薬品について有効成分の名称と分量、使用期限、等が規定されている（薬事法５０条）。
同様に、医薬品に添付する文書については、１．用法、用量その他の使用および取扱い上の必要な注意（同５２条）、が規定され、逆に記載禁止事項も規定されている（同５４条）。
非接触データキャリアにも、薬事法に基づいた事項の書き込みが必要と考えられる。
【００２８】
【実施例】
板紙（２６０ｇ／ｍ 2）に通常のパッケージの印刷を行い、薬品用パッケージを組み立てた際にその内面となる面に、銀−カーボン（Ａｇ−Ｃ）からなる導電性インキを用いてシルクスクリーン印刷で、図３図示のようなアンテナパターン１１２の印刷を行い、赤外線乾燥炉で１５０°Ｃ、２分間の乾燥を行った。
当該アンテナパターン１１２のＩＣチップ接続端部上に、モトローラ社製タック加工済みＩＣチップラベル「Ｂｉｓｔａｔｉｘ」（１ｋＢｉｔｓ）を実装して非接触データキャリア付き薬品パッケージを完成した。
この薬品パッケージを次の用途例１と用途例２に使用した。
【００２９】
（用途例１）−用法情報の表示−
（１）薬品の出荷時に、薬品パッケージに実装された非接触データキャリアに、薬品の用法情報、副作用に関する情報等を書き込んで添付する。
例；成人  ３錠／１回量、１日３回毎食後服用
（２）この非接触データキャリアの情報を非接触リーダライタで読み取り表示する。これには、非接触データキャリア読み取り用アンテナを持つリーダが接続されたパーソナルコンピュータを使用するか、非接触データキャリア読み取りリーダ付き携帯電話を使用してパソコンや携帯電話のディスプレイに表示させる。
（３）これにより、消費者は通常の医薬品文書のように級数が小さい印刷された情報を見る必要なく、表示ディスプレイに消費者の好みに応じた最適な大きさ／表示方法で表示が可能となる。また、説明文書紛失による誤用や誤飲の防止、細かい文字が読みにくい高齢者の利便性向上が図れる。
（４）副作用や習慣性に関する情報や応急時の処置情報を書き込めば、薬品使用の安全を期することができる。
【００３０】
（用途例２）−用法情報のプリセット／告知−
（１）薬品の出荷時に、薬品パッケージに実装された非接触データキャリアに、薬品の用法・用量情報を書き込んで添付する。
例；成人  ３錠／１回量、１日３回毎食後服用
（２）用途例１の場合と同様に、この非接触データキャリアの情報を非接触リーダライタで読み取り表示する。
（３）非接触データキャリアから読み取った情報をパーソナルコンピュータに記憶させ、以降の飲み忘れ防止に役立てる。これには、
▲１▼服用間隔を非接触データキャリアから読み取って記憶させ、服用時間が近づくとアラームを発するようにする。
▲２▼同時に服用量／種類を表示部に薬剤の形状等とともに図形表示することで、服用量を間違えることなく服用することも可能となる。
▲３▼あらかじめ、薬剤量や服用量を記憶させておき、服用の都度、当初薬剤量から減算する処理を行えば薬がなくなる前にアラームを発することも可能となる。
【００３１】
【発明の効果】
上述のように、本発明の薬品パッケージまたは薬品説明文書は、可視表示による限界を補完して、これらにおいて問題となっている読み難さ、製品と情報の分離、という問題を解決することができる。
薬品パッケージまたは薬品説明文書に非接触データキャリアを使用することにより、バーコードのように周囲の雰囲気や遮蔽物に影響されることなく確実な情報の取得が可能となる。
薬品にデジタルデータとしての情報が付随するため劣化がなく、パソコン上などで使用者に適した情報加工／表示が可能となり正しい服用の推進を図ることができる。
【図面の簡単な説明】
【図１】薬品パッケージの第１の実施形態を示す図である。
【図２】非接触データキャリアの汎用的な形態を示す図である。
【図３】薬品パッケージの第２の実施形態を示す図である。
【図４】薬品パッケージの第３の実施形態を示す図である。
【図５】コイルオンチップ型の非接触データキャリアを示す図である。
【図６】薬品パッケージの第４の実施形態を示す図である。
【図７】ＩＣチップラベルを一部剥離した状態を示す図である。
【符号の説明】
１１    非接触データキャリア
１１Ｌ  ＩＣチップラベル
１２    コイルオンチップ
２１，２２，２３，２４    薬品パッケージ
１１０    プラスチック等の基材
１１１    ＩＣチップ
１１２    アンテナパターン（アンテナ部）
１１２Ｌ  アンテナパターン
１１４    導通部材
１２０    シリコン基板
１２１    メモリー付き集積回路部
１２２    アンテナコイル
２１０    パッケージ基材
【図１】
0004580530.tif 000002
【図２】
0004580530.tif 000003
【図３】
0004580530.tif 000004
【図４】
0004580530.tif 000005
【図５】
0004580530.tif 000006
【図６】
0004580530.tif 000007
【図７】
0004580530.tif 000008